(57)【要約】      （修正有）【課題】炉の操業中にサイトガラスをきれいなものと交換できるサイトガラス装置の提供。【解決手段】炉のサイトガラス２４を設置する開口２９を有する設置部２２と、第１部分３３と第２部分３４とが一連の板状に形成され前記開口の開口面３２に沿って摺動でき第１部分が開口を気密に覆い第２部分が開口から外れた位置にある状態とこの逆の状態とに摺動によって切換え可能である移動体２３と、移動体の第１部分及び第２部分の各々に設けたサイトガラス２４とを具備する。サイトガラスは、第１部分及び第２部分がそれぞれ開口から外れた位置にある状態で対応する部分のサイトガラスを移動体から取外し可能である。板状の移動体が長方形をなしサイトガラス取付け穴３９、４０、４２を２組有し、サイトガラスを取付け、サイトガラスと取付け穴の間に気密手段を有し、両側の縁部を挟持状態で案内するガイド３１を設け、設置部の開口面に開口外側を取巻く環状溝を設けてＯリングを設置した。【選択図】図２
0003119521.tif 000002
【実用新案登録請求の範囲】
【請求項１】
炉のサイトガラスを設置する開口を有する設置部と、第１部分と第２部分とが一連の板状に形成され前記開口の開口面に沿って摺動でき第１部分が前記開口を気密に覆い第２部分が開口から外れた位置にある状態とこの逆の状態とに前記摺動によって切換え可能である移動体と、前記移動体の第１部分及び第２部分の各々に設けたサイトガラスとを具備するサイトガラス装置。
【請求項２】
請求項１記載のサイトガラス装置において、前記サイトガラスは、第１部分及び第２部分がそれぞれ前記開口から外れた位置にある状態で対応する部分のサイトガラスを前記移動体から取外し可能であることを特徴とするサイトガラス装置。
【請求項３】
請求項１、又は請求項２記載のサイトガラス装置において、前記板状の移動体が長方形をなし２個のサイトガラス取付け穴を前記長方形の長手方向に隣り合うように設けられ、前記サイトガラス取付け穴にサイトガラスを嵌合させ且つサイトガラスと移動体の炉側表面を一致させて設け、サイトガラスとサイトガラス取付け穴の間に気密手段を設け、前記サイトガラス設置部の開口面に前記移動体の炉側表面が押圧状態で長方形の長手方向に摺動できるように長方形の両側の縁部を挟持状態で案内するガイドを設け、前記サイトガラス設置部の開口面に開口外側を取巻く環状溝を設けてＯリングを設置したことを特徴とするサイトガラス装置。
【考案の詳細な説明】
【技術分野】
【０００１】
本考案は、各種の炉のサイトガラス装置に関し、主にサイトガラスの清掃のための構成に関する。
【背景技術】
【０００２】
炉のサイトガラス装置の一般的な構成は図４に示すような構成になっている。すなわち、図４（ａ）に示すサイトガラス装置１は、一端が炉壁２に結合され炉内に内孔３が連通する筒体４の他端にフランジ５を設け、そのフランジ５とこれに対応する押さえリング６との間に気密シール材７、８を介在させてサイトガラス９を挟み固定ボルト１０で固定してある。図４（ｂ）に示すサイトガラス装置１１は、（ａ）に示したもののフランジ５に代えて筒体４の他端部外周に雄ねじ１２を設け、この雄ねじ１２に螺合する雌ねじ１３を具えた袋ナット状の押さえ部材１４によってサイトガラス１５の外縁部を挟持し固定している。サイトガラス１５を挟持している一方の筒体端面１６及び他方の押さえ部材１４の凸縁１７内側には気密シール材１８、１９を設置してある。
【０００３】
前記従来のサイトガラス装置は、例えば、雰囲気ガスを使用するローラハース炉において、炉内を移動する被熱処理物が所定位置に到達したことを炉外に設けた光電スイッチ（図４に一方の素子２０を仮想線で示す）で検出できるように適用されている。このようなサイトガラス装置は、炉内の被熱処理物の移動経路を光電スイッチの光路が横切ることができるように所定検出位置に対応して炉の両側に設けられ、サイトガラスを光電スイッチの光が通過する。
【考案の開示】
【考案が解決しようとする課題】
【０００４】
サイトガラス装置は、サイトガラスが炉内雰囲気によって汚れる場合、つまり炉内の発生ガスが粉塵を含んでいるときはこれが付着する場合や炉内発生ガスに含まれる気体が温度変化によって固体となって付着する場合があり、光電スイッチを適用した場合にこの汚れをそのまま放置すると光電スイッチが誤動作を起こすようになる。従って汚れたサイトガラスは取り外して清掃するか又はきれいなものと交換することが必要となるが、炉内雰囲気ガスが可燃性である場合には、炉の操業中に清掃や交換を行うことは危険であるから炉の操業を停止させる必要があり、作業能率が低下する問題がある。
本考案は、炉の操業中であってもサイトガラスをきれいなものと交換できるサイトガラス装置を提供することを課題とする。
【課題を解決するための手段】
【０００５】
本考案のサイトガラス装置は、炉のサイトガラスを設置する開口を有する設置部と、第１部分と第２部分とが一連の板状に形成され前記開口の開口面に沿って摺動でき第１部分が前記開口を気密に覆い第２部分が開口から外れた位置にある状態とこの逆の状態とに前記摺動によって切換え可能である移動体と、前記移動体の第１部分及び第２部分の各々に設けたサイトガラスとを具備する。
【０００６】
この構成では、第１部分と第２部分は移動体を摺動させて一方が開口を覆い他方が開口から外れた状態に切換えることができる。例えば、第１部分が開口を覆うように位置させた状態で使用する。この使用状態にある第１部分のサイトガラスの汚れがあるレベルに達したときに、移動体を摺動させて第２部分が開口を覆う位置になり第１部分が開口から外れた位置になる状態に切換えて第２部分のサイトガラスを使用状態とする。開口から外れた位置となる第１部分のサイトガラスは汚れを落として待機状態としておく。このように開口から外れた位置となったサイトガラスを清掃しておくことにより必要に応じて移動体を移動させて直ちに汚れたサイトガラスに代えてきれいなサイトガラスを使用状態とすることができる。
【０００７】
前記サイトガラスは、第１部分及び第２部分がそれぞれ前記開口から外れた位置にある状態で対応する部分のサイトガラスを前記移動体から取外し可能である構成とするのがよい。この構成では、サイトガラスは一つが使用中であるときでも、開口から外れた位置にあるものを取外すことができるから、予め準備した別のきれいなサイトガラスと交換可能である。
【０００８】
前記サイトガラス装置において、前記板状の移動体が長方形をなし２個のサイトガラス取付け穴を前記長方形の長手方向に隣り合うように設けられ、前記サイトガラス取付け穴にサイトガラスを嵌合させ且つサイトガラスと移動体の炉側表面を一致させて設け、サイトガラスとサイトガラス取付け穴の間に気密手段を設け、前記サイトガラス設置部の開口面に前記移動体の炉側表面が押圧状態で長方形の長手方向に摺動できるように長方形の両側の縁部を挟持状態で案内するガイドを設け、前記サイトガラス設置部の開口面に開口外側を取巻く環状溝を設けてＯリングを設置した構成とするのがよい。
【０００９】
この構成では、サイトガラスを設けた移動体は気密手段によって取付け穴の気密を保持される。そしてサイトガラス使用状態において移動体の炉側表面は使用状態にあるサイトガラス取付け穴周辺部の外側でＯリングに接触しており、移動体の炉内側表面と開口の開口面との間が気密に保持される。従って、サイトガラス使用状態におけるサイトガラス設置部の炉内と外界との気密が保持される。また、サイトガラスを切換え使用するときは、一時的にサイトガラスとサイトガラス取付け穴との嵌合位置がＯリングを通過して外界に出るが、サイトガラス取付け穴にサイトガラスを嵌合させ且つサイトガラスと移動体の炉側表面を一致させて設けてあるから、嵌合隙間の中の炉内側から気密手段を設けてある位置までの微小な空間に侵入していた極めて少量の炉内ガスが外界に持ち出されることになるが、一般的には無視できる程度で殆ど問題はない。
【考案の効果】
【００１０】
請求項１記載の考案は、炉内面側が汚れたサイトガラスを短時間できれいなものと簡単に切換えて使用できる効果を奏する。
請求項２記載の考案は、サイトガラスの汚れが落ちにくいものであっても取外すことで適切に清掃して取付け、あるいは新しいものを取付けて切換え使用に対応できる効果を奏する。
請求項３記載の考案は、サイトガラスの切換え操作時に炉内ガスが外界に殆ど漏れない効果を奏する。
【考案を実施するための最良の形態】
【００１１】
炉のサイトガラスを設置する開口を有する設置部と、第１部分と第２部分とが一連の板状に形成され前記開口の開口面に沿って摺動でき第１部分が前記開口を気密に覆い第２部分が開口から外れた位置にある状態とこの逆の状態とに前記摺動によって切換え可能である移動体と、前記移動体の第１部分及び第２部分の各々に設けたサイトガラスとを具備している。前記サイトガラスは、第１部分及び第２部分がそれぞれに前記開口から外れた位置にある状態で対応する部分のサイトガラスを前記移動体から取外し可能である。前記板状の移動体が長方形をなし２個のサイトガラス取付け穴を前記長方形の長手方向に隣り合うように設けられ、前記サイトガラス取付け穴にサイトガラスを嵌合させ且つサイトガラスと移動体の炉側表面を一致させて設け、サイトガラスとサイトガラス取付け穴の間に気密手段を設け、前記サイトガラス設置部の開口面に前記移動体の炉側表面が押圧状態で長方形の長手方向に摺動できるように長方形の両側の縁部を挟持状態で案内するガイドを設け、前記サイトガラス設置部の開口面に開口外側を取巻く環状溝を設けてＯリングを設置してある。
【実施例１】
【００１２】
図１〜図３は本考案の実施例１を示し、サイトガラス装置２１は、サイトガラスの設置部２２と、移動体２３と、サイトガラス２４、２４とを具備している。サイトガラス設置部２２は、図３に見られるように、一端が炉壁２５に結合され炉内２６に内孔２７が連通する筒体２８の他端開口２９にフランジ部３０を設け、そのフランジ部３０に移動体２３のガイド３１を設けてある。筒体２８の内孔２７の開口２９の開口面３２は後述する移動体２３の一方の面が当接し開口２９を覆いその状態で開口面３２に沿って摺動できるように平坦面に形成されている。
【００１３】
移動体２３は、板状で正面形状が図１に見られるように横長の長方形をなし、図２に見られるようにフランジ部３０に位置するつまり開口２９を覆う位置にある第１部分３３と、これに続くフランジ部から外れて位置するつまり開口２９から外れた位置にある第２部分３４とからなる。そしてこの第１部分３３と第２部分３４とにそれぞれサイトガラス２４が設置してある。この移動体２３は、図２に見られるように、部品としては前記長方形に所定の厚さで形成されている本体部分３５と、サイトガラス２４を取り付けるための二つの押さえ部３６、３６と、８本の取付けねじ３６aで構成されている。本体部分３５は前記第１部分３３と第２部分３４とが連続した一体物であるが、押さえ部３６、３６は別々に形成されている。
【００１４】
サイトガラス２４は、図２、図３に断面として見られるように、小径部３７と大径部３８を有する段付きの短円柱体である。
移動体２３のサイトガラス２４を取り付ける部分は、第１部分３３と第２部分３４とに設けてあり、本体部分３５を貫通しているサイトガラス小径部３７ができるだけ小さい隙間で嵌合する小径の穴３９と、サイトガラス大径部３８を約半分収容する大拡穴４０と、押さえ部３６、３６に設けてある小径の穴４１と、サイトガラス大径部３８の残り半分を収容する拡大穴４２とで形成してある。つまり、小径の穴３９、大拡穴４０、小径の穴４１、拡大穴４２が一組で一つのサイトガラス取付け穴を形成しており、サイトガラス２４が取付けられている。そして移動体２３とサイトガラス２４の間の気密性を保持する気密手段としてサイトガラス２４の大径部３８を厚さ方向に両側から挟むようにＯリング４３、４４を介在させてある。そのＯリングの溝は本体部分３５と押さえ部３６、３６に設けてある。サイトガラス２４の炉側表面は移動体２３に取り付けられた状態で移動体２３の炉側表面つまりフランジ部３０の開口面３２に当接する表面と一致させてある。
【００１５】
フランジ部３０に設けてあるガイド３１は、図１における移動体２３の上縁部と下縁部を前後から挟む状態で左右に摺動移動可能に保持している。そして移動体の後面に当接する部分には適当な板ばね４５を配置して前方へつまり炉側へ押圧力を作用させてあり、フランジ部３０の開口面３２に開口２９を取巻くようにＯリング溝を設けてＯリング４６を設置してある。これはサイトガラス２４を設置された移動体２３が開口２９を気密に覆うためのものである。図中４７は止めねじであり、移動体２３を所定の移動位置で係止して固定するものである。
【００１６】
このサイトガラス装置２１は、第１部分３３が開口２９に位置した図示の状態で使用が開始された場合、使用時間が経過して第１部分３３のサイトガラス２４が汚れてきたときに止めねじ４７を緩めて移動体２３を図１の矢印方向に移動させて第２部分３４を開口２９に位置させ止めねじ４７で固定すると、きれいな第２部分３４のサイトガラス２４の使用状態に切換えることができる。その後で第１部分３３のサイトガラス２４は、４本のねじを外すことによって押さえ部３６を取り外すことができるから、必要に応じて取り外して適切に洗浄して汚れを落とし、元の状態に取付けておけば、使用中の第２部分のサイトガラスが汚れたときに直ちに切換えて使用できる。
また、このサイトガラス装置２１は、適用する炉の炉内雰囲気ガスが可燃性である場合、通常このような場合炉の内圧が外気圧よりも少し高く維持されているが、サイトガラス２４の使用中はＯリング４５の気密保持作用でガス漏れはないから支障はない。サイトガラス２４を切換えるときは、移動体２３の摺動により本体部分３５の小径穴３９とこれに嵌合しているサイトガラス２４の小径部３７との微小隙間がＯリング４６の位置を横切るが、このときの炉内ガスの漏れは微少量であり、また微少隙間に入っているガスが持ち出される量も極めて微少量であるから問題はなく、事実上ガス漏れはないといえる。
【００１７】
以上のようにこのサイトガラス装置２１は、汚れたサイトガラスをきれいなものと簡単な操作で切換えて使用状態とすることができるから、ローラハース炉、プッシャー炉、メッシュベルト炉などの被加熱物位置検出に適用して、サイトガラスの汚れをきれいにするために作業を中断する必要がないから、作業能率を従来よりも向上させることができる。また、炉内雰囲気ガスが可燃性のものである場合にも、支障なく適用できる。
【産業上の利用可能性】
【００１８】
一般的に炉において内面が汚れやすいサイトガラスに適用して有効である。
【図面の簡単な説明】
【００１９】
【図１】本考案の位置実施例の概略の構成を示す正面図である。
【図２】図１のA−A断面図である。
【図３】図１のB−B断面図である。
【図４】（a）は従来のサイトガラス装置を示す縦断側面図、（b）は別の従来のサイトガラス装置の縦断面図である。
【符号の説明】
【００２０】
２１    サイトガラス装置
２２    サイトガラスの設置部
２３    移動体
２４    サイトガラス
２５    炉壁
２６    炉内
２７    内孔
２８    筒体
２９    開口
３０    フランジ部
３１    ガイド
３２    開口面
３３    第１部分
３４    第２部分
３５    本体部分
３６    押さえ部
３６a   取付けねじ
３７    サイトガラス小径部
３８    サイトガラス大径部
３９    本体部の小径の穴
４０    本体部の拡大穴
４１    押さえ部の小径の穴
４２    押さえ部の拡大穴
４３    Ｏリング（サイトガラスの）
４４    Ｏリング（サイトガラスの）
４５    板ばね
４６    Ｏリング（開口面の）
４７    止めねじ
【図１】
0003119521.tif 000003
【図２】
0003119521.tif 000004
【図３】
0003119521.tif 000005
【図４】
0003119521.tif 000006